(57)【要約】      （修正有）【課題】攪拌部材を折り畳んで収納することができ、攪拌効果が良く、構造が簡単であり、量産しやすい攪拌工具を提供する。【解決手段】回転工具に組付けられている回転部材１と、回転部材に枢着されており、回転部材に対して一直線に配列される第１位置と、回転部材に対してほぼ垂直になる第２位置との間に旋回可能な少なくとも一つの攪拌部材２と、を備える。攪拌部材は、枢着軸３により、回転部材に枢着されている。【選択図】図１
0003226296.tif 000002
【実用新案登録請求の範囲】
【請求項１】
回転工具に連結される回転部材と、
前記回転部材に枢着されており、第１位置と第２位置との間に旋回可能な少なくとも一つの攪拌部材と、
を備えることを特徴とする攪拌工具。
【請求項２】
枢着軸により、前記攪拌部材は前記回転部材に枢着されていることを特徴とする、請求項１に記載の攪拌工具。
【請求項３】
前記回転工具は、軸線を中心として前記回転部材を回転し、前記枢着軸の挿通方向は前記軸線に垂直であることを特徴とする、請求項２に記載の攪拌工具。
【請求項４】
前記回転部材は、前記軸線に沿い、前記回転工具から遠く離れた一端にスロットが設けられており、前記スロットは、前記回転部材の径方向の両側を貫通し、前記枢着軸は前記スロット内に挿通されており、前記攪拌部材は前記スロット内に枢着されていることを特徴とする、請求項３に記載の攪拌工具。
【請求項５】
前記攪拌部材は、板状を呈し、より長い辺の方向を長手方向とし、より短い辺の方向を幅方向とし、前記長手方向に沿ってヘッド段および尾段を順に有し、前記ヘッド段と前記尾段との間に枢着穴が貫通されており、前記枢着軸は前記枢着穴に挿通されており、前記ヘッド段の長さは前記尾段の長さより小さいことを特徴とする、請求項４に記載の攪拌工具。
【請求項６】
前記ヘッド段の前記幅方向に沿う一方の側に面取りが設けられており、他方の側に押付端が設けられており、前記攪拌部材が前記第１位置に位置するときに、前記押付端は前記スロットの底面に押し付け、前記攪拌部材と前記回転部材とは、一直線に配列され、前記攪拌部材が前記第２位置に旋回したと、前記攪拌部材は前記回転部材に垂直であることを特徴とする、請求項５に記載の攪拌工具。
【請求項７】
前記枢着軸の回転方向に沿って見ると、前記攪拌部材が前記第２位置に旋回した後、前記回転部材の径方向の寸法と前記攪拌部材の前記スロットから伸び出す長さとの比は、１：３〜１：４であることを特徴とする、請求項６に記載の攪拌工具。
【請求項８】
前記枢着穴は、前記幅方向に沿ってオフセットするように前記攪拌部材に設けられており、前記枢着軸から前記押付端までの距離は、前記枢着軸から前記スロットの底面の前記幅方向に沿う一端までの距離とほぼ同じであることを特徴とする、請求項５から７のいずれか１項に記載の攪拌工具。
【請求項９】
前記回転部材の径方向の寸法と前記攪拌部材の幅の寸法との比は、１１：１０〜１１：１６であることを特徴とする、請求項１から７のいずれか１項に記載の攪拌工具。
【請求項１０】
前記枢着穴は、前記幅方向に沿ってオフセットするように前記攪拌部材に設けられており、前記枢着軸から前記押付端までの距離は、前記枢着軸から前記スロットの底面の前記幅方向に沿う一端までの距離とほぼ同じ、前記回転部材の径方向の寸法と前記攪拌部材の幅の寸法との比は、１１：１０〜１１：１６であり、前記攪拌部材は二つあり、前記二つの攪拌部材は、互いに重なるように前記枢着軸に枢着されており、前記二つの攪拌部材は、同じ方向に沿って１５〜３０度に捩じられ、前記攪拌部材は、長方形を呈するプレートであり、前記攪拌部材には、前記回転工具に連結される連接端が設けられており、前記連接端は、断面形状が多角形を呈するロッドであることを特徴とする、請求項７に記載の攪拌工具。
【考案の詳細な説明】
【技術分野】
【０００１】
本考案は、攪拌工具に関するものである。
【背景技術】
【０００２】
一般的に、液体を攪拌するときに、攪拌効率の向上及び省力化のために、回転工具（例えばモータを有する回転工具）に攪拌装置を組付けて回転工具を回転することにより、液体を攪拌することができる。台湾特許ＴＷＭ５４４２８５号およびＴＷＭ５８０９３９号に提案された攪拌工具は、上記のようなものである。
【０００３】
しかし、このような攪拌工具の攪拌用の羽根の径方向の寸法は大きすぎるため、収納が極めて不便であり、且つ液体を収容する容器に伸ばし入れて組付けることが難しい。そして攪拌用の羽根の径方向の寸法が大きすぎると、攪拌の効率が低下しやすい。
【先行技術文献】
【特許文献】
【０００４】
【特許文献１】台湾特許ＴＷＭ５４４２８５号公報
【特許文献２】台湾特許ＴＷＭ５８０９３９号公報
【考案の概要】
【考案が解決しようとする課題】
【０００５】
本考案の主な目的は、攪拌部材を折り畳んで収納することができ、攪拌効果が良く、構造が簡単であり、量産しやすい攪拌工具を提供することにある。
【課題を解決するための手段】
【０００６】
本考案に係る攪拌工具によると、回転工具に組付けられている回転部材と、
回転部材に枢着されており、第１位置と第２位置との間に旋回可能な少なくとも一つの攪拌部材と、
を備えることを特徴とする。
【考案の効果】
【０００７】
本考案に係る攪拌工具によれば、攪拌部材を折り畳んで収納することができ、攪拌効果が良く、構造が簡単であり、量産しやすいという効果を有する。
【図面の簡単な説明】
【０００８】
【図１】本考案の一実施形態に係る攪拌工具を示す斜視図である。
【図２】本考案の一実施形態に係る攪拌工具を示す分解斜視図である。
【図３】本考案の一実施形態に係る攪拌工具の組付けを示す図である。
【図４】本考案の一実施形態に係る攪拌工具を示す側面断面図である。
【図５】本考案の一実施形態に係る攪拌工具の一部の操作を示す図である。
【図６】本考案の一実施形態に係る攪拌工具の一部の操作を示す図である。
【考案を実施するための形態】
【０００９】
以下、本考案の実施の形態を図面に基づいて説明する。
【００１０】
図１から図６を参照する。本考案の一実施形態に係る攪拌工具は、回転部材１と、少なくとも一つの攪拌部材２と、を備える。
【００１１】
回転部材１は、回転工具９に連結されており、例えば、本実施形態に係る回転工具９が電動工具である。攪拌部材２には、前記回転工具９に連結するための連接端１３が設けられている。連接端１３は、断面形状が多角形を呈するロッドである。
【００１２】
攪拌部材２は、回転部材１に枢着されており、第１位置と第２位置との間に旋回することができる。平常時に、回転部材１に設けられている攪拌部材２の一端が下方に向くときに、重力により、攪拌部材２がぶら下がって前記第１位置に位置する。攪拌部材２と回転部材１とは、一直線に配列される。回転工具９が回転部材１を駆動して回転するときには、回転部材１が攪拌部材２を駆動して前記第２位置に旋回する。攪拌部材２は回転部材１にほぼ垂直であるため、流体を攪拌することができる。これにより、本考案に係る攪拌工具の攪拌部材２は、回転部材１に対して旋回して、回転部材１と一直線になって収納することができ、又は回転部材１に垂直であるようになって攪拌することができ、攪拌効果が良く、構造が簡単であり、量産しやすい。
【００１３】
具体的には、枢着軸３により、攪拌部材２は回転部材１に枢着されている。本実施形態に係る攪拌部材２は、二つあり、互いに重なって枢着軸３に枢着されている。
【００１４】
本実施形態に係る回転工具９は、軸線１１を中心として回転部材１を回転する。枢着軸３の挿通方向は軸線１１に垂直である。
【００１５】
また、回転部材１は、軸線１１に沿い、回転工具９から遠く離れた一端にスロット１２が設けられている。スロット１２は、回転部材１の径方向の両側を貫通する。枢着軸３はスロット１２内に挿通されている。二つの攪拌部材２はスロット１２内に枢着されている。これにより、前記攪拌工具の全体の径方向の体積の増加を回避することができる。
【００１６】
二つの攪拌部材は、板状を呈することが好ましい。本実施形態に係る攪拌部材２は、長方形を呈するプレートである。攪拌部材２は、より長い辺の方向を長手方向とし、より短い辺の方向を幅方向とする。攪拌部材２は、前記長手方向に沿ってヘッド段２１および尾段２２を順に有する。ヘッド段２１と尾段２２との間に枢着穴２３が貫通されている。枢着軸３は枢着穴２３に挿通されている。ヘッド段２１の長さは、尾段２２の長さより小さい。尾段２２は、流体を攪拌するためのものである。
【００１７】
また、ヘッド段２１の前記幅方向に沿う一方の側に面取り２４が設けられており、他方の側に押付端２５が設けられていることが好ましい。攪拌部材２が前記第１位置に位置するときに、押付端２５はスロット１２の底面に押し付け、攪拌部材２と回転部材１とは、ほぼ同じ直線に位置する。攪拌部材２が前記第２位置に旋回したと、攪拌部材２は回転部材１に垂直である。攪拌部材２の面取り２４により、攪拌部材２が回転部材１に接触して前記第２位置に旋回不能となることを回避することができる。
【００１８】
枢着軸３の回転方向に沿って見ると、攪拌部材２が前記第２位置に旋回した後、回転部材１の径方向の寸法と攪拌部材２のスロット１２から伸び出す長さとの比は、１：３〜１：４である。本実施形態では、１：３.５である。これにより、攪拌効果はより良い。回転部材１の径方向の寸法と攪拌部材２の幅の寸法との比は、１１：１０〜１１：１６である。本実施形態では、１１：１３である。これにより、攪拌部材２が前記第１位置に位置するときに、攪拌部材２の径方向の寸法は回転部材１の径方向の寸法よりやや大きくすればよい。そうすると、前記攪拌工具の収納は便利となる。
【００１９】
本実施形態に係る枢着穴２３は、前記幅方向に沿ってオフセットするように攪拌部材２に設けられている。回転部材１の連接端１３が上方に向くときに、重力により、二つの攪拌部材２は前記第１位置に旋回しやすい。枢着軸３から押付端２５までの距離は、枢着軸３からスロット１２の底面の前記幅方向に沿う一端までの距離とほぼ同じである。これにより、攪拌部材２が前記第１位置に位置するときに、押付端２５はスロット１２の底面に押し付ける。
【００２０】
一方、二つの攪拌部材２は、同じ方向に沿って１５〜３０度に捩じられている。上方から下方へ見ると、回転部材１が時計方向に回転して、二つの攪拌部材２が流体を攪拌しているときに、流体の反力により、二つの攪拌部材２は前記第２位置に旋回しやすい。
【００２１】
上記では、種々の実施の形態および変形例を説明したが、本考案はこれらの内容に限定されるものではない。本考案の技術的思想の範囲内で考えられるその他の態様も本考案の範囲内に含まれる。
【符号の説明】
【００２２】
１    回転部材
２    攪拌部材
３    枢着軸
９    回転工具
１１    軸線
１２    スロット
１３    連接端
２１    ヘッド段
２２    尾段
２３    枢着穴
２４    面取り
２５    押付端
【図１】
0003226296.tif 000003
【図２】
0003226296.tif 000004
【図３】
0003226296.tif 000005
【図４】
0003226296.tif 000006
【図５】
0003226296.tif 000007
【図６】
0003226296.tif 000008
【手続補正書】
【提出日】令和2年3月10日(2020.3.10)
【手続補正１】
【補正対象書類名】実用新案登録請求の範囲
【補正対象項目名】請求項１
【補正方法】変更
【補正の内容】
【請求項１】
回転工具に連結される回転部材と、
前記回転部材に枢着されており、前記回転部材に対して一直線に配列される第１位置と、前記回転部材に対してほぼ垂直になる第２位置との間に旋回可能な少なくとも一つの攪拌部材と、
を備えることを特徴とする攪拌工具。